(57)【要約】【課題】照明光源の駆動回路に故障が発生しても、正常な読み取り画像を得ることができる画像読取装置、その制御方法、及びプログラムを提供する。【解決手段】ＬＥＤブロック１０１ａ，１０１ｂは、切り替えスイッチ１０２ａ，１０２ｂ，１０３ａ，１０３ｂを介して、駆動回路１０４ａ，１０４ｂにそれぞれ接続されている。スイッチ１０２ａ、１０２ｂ、１０３ａ、１０３ｂの切り替えによって、ＬＥＤブロック１０１ａは、正常に動作している駆動回路１０４ｂに接続される。また、ＬＥＤブロック１０１ｂは、故障している駆動回路１０４ａに接続される。【選択図】図９
2009177505.tif 000002
【特許請求の範囲】
【請求項１】
主走査方向に直線状に配置される複数のブロックを有すると共に副走査方向に移動しながら原稿を照明する照明手段と、
前記複数のブロックにそれぞれ接続されると共に当該接続されたブロックを点灯させる複数の点灯手段と、
前記照明手段により照明された原稿から前記原稿の画像を読み取る読取手段とを備える画像読取装置において、
前記複数の点灯手段のうち故障している点灯手段を検出する検出手段と、
前記検出された故障している点灯手段を故障していない点灯手段と入れ替えてブロックに接続する切り替え手段とを備えることを特徴とする画像読取装置。
【請求項２】
前記原稿のサイズを検知する検知手段と、
前記検知された原稿のサイズが前記照明手段により照明が可能なサイズより大きいときは当該原稿から画像を読み取らないように前記読取手段を制御する制御手段とを備えることを特徴とする請求項１記載の画像読取装置。
【請求項３】
前記検知された原稿のサイズが前記照明手段により照明が可能なサイズより大きい場合において、当該原稿の向きを変えることによって当該原稿を前記照明手段により照明が可能なときは、その旨をユーザに通知する通知手段を備えることを特徴とする請求項２記載の画像読取装置。
【請求項４】
前記切り替え手段は、前記複数のブロックのうち主走査方向に対して先端に配置されたブロックを点灯する点灯手段を後端部に配置されたブロックを点灯する点灯手段と入れ替えて接続することを特徴とする請求項１乃至３のいずれか１項に記載の画像読取装置。
【請求項５】
前記照明手段の交換をユーザに促すメッセージを表示する表示手段を備えることを特徴とする請求項１乃至４のいずれか１項に記載の画像読取装置。
【発明の詳細な説明】
【技術分野】
【０００１】
本発明は、画像読取装置に関し、特に、ＬＥＤ等の点光源が複数個配置された照明光源を有する画像読取装置に関する。
【背景技術】
【０００２】
従来、画像読取装置に用いられる原稿を照明する光源としては、Ｘｅ（キセノン）ガスを封入したＸｅ蛍光管に代表される光源が多く用いられてきた。しかし、Ｘｅ蛍光管などの蛍光管は高周波の交流駆動により点灯駆動されるので、画像読取装置内にＤＣ電圧をＡＣ電圧に変換するインバータを載置するスペースを確保する必要がある。また、蛍光管の発光効率が悪いためにインバータや蛍光管から発生する発熱量が多く熱対策が必要かつ相応の電力を必要とする。さらに、蛍光管の寿命は比較的短く、製品からみた蛍光管は交換部品として位置付けられている。
【０００３】
そこで、近年の技術革新により画像読み取り系として用いるのに相応の発光光量をもつＬＥＤが登場し、このＬＥＤを複数個並べた照明光源を具備する画像読取装置の実現が可能になってきた（例えば、特許文献１参照）。例えば、図１３に示すように基板８００上に４８個のＬＥＤ８０１を直線状に配置し、これを点灯させて照明光源とする例が一般的である。
【０００４】
この場合、４８個のＬＥＤ８０１を全て直列に定電流回路に接続してもよいが、ＬＥＤ１個の順方向電圧を３．３Ｖとすると、３．３×４８＝１５８．４Ｖ以上の電圧を印加する必要があり現実的ではない。そこで、図１４に示すように４８個のＬＥＤ８０１を、６個ずつのＬＥＤブロック９０１に分け、各々のＬＥＤブロック９０１にＬＥＤブロック９０１のＬＥＤ８０１を点灯するための駆動回路９０２を接続する。駆動回路９０２は、定電流回路を備え、所望の電流をブロック９０１に供給する。例えば、駆動回路９０２は、ＬＥＤ８０１の１個あたりの順方向電圧が３．３Ｖの場合は、３．３×６＝１９．８Ｖ以上の電圧をかける。
【特許文献１】特開２００２−２４７２９６号公報
【発明の開示】
【発明が解決しようとする課題】
【０００５】
しかしながら、上記従来の画像読取装置では、駆動回路９０２が故障した場合、ＬＥＤブロック９０１のＬＥＤ８０１を点灯することができないので、ＬＥＤブロック９０１は照明光源として使用することができない。したがって、駆動回路９０２が一つでも故障すると、故障した個所を修理または交換するまで正常な読み取り画像を得ることができない。
【０００６】
本発明の目的は、照明光源の駆動回路に故障が発生しても、正常な読み取り画像を得ることができる画像読取装置を提供することにある。
【課題を解決するための手段】
【０００７】
上述の目的を達成するために、請求項１に記載の画像読取装置は、主走査方向に直線状に配置される複数のブロックを有すると共に副走査方向に移動しながら原稿を照明する照明手段と、前記複数のブロックにそれぞれ接続されると共に当該接続されたブロックを点灯させる複数の点灯手段と、前記照明手段により照明された原稿から前記原稿の画像を読み取る読取手段とを備える画像読取装置において、前記複数の点灯手段のうち故障している点灯手段を検出する検出手段と、前記検出された故障している点灯手段を故障していない点灯手段と入れ替えてブロックに接続する切り替え手段とを備えることを特徴とする。
【発明の効果】
【０００８】
本発明によれば、故障している点灯手段を故障していない点灯手段と入れ替えてブロックに接続するので、照明光源の駆動回路に故障が発生しても、正常な読み取り画像を得ることができる。
【発明を実施するための最良の形態】
【０００９】
以下、本発明の実施の形態を図面を参照しながら詳述する。
【００１０】
［第１の実施の形態］
図１は、本発明の第１の実施の形態に係る画像読取装置を搭載した画像複写装置の内部構成を示す断面図である。
【００１１】
図１において、画像複写装置１は、電子写真方式であり、画像読取装置２、及びプリンタ３を備える。画像読取装置２は、原稿の画像を読み取り、画像情報を取得する。プリンタ３は、画像読取装置２により取得された画像情報に基づいて画像を転写材Ｐに形成する。
【００１２】
プリンタ３は、中間転写方式を採用しており、画像形成部１０、給紙ユニット２０、中間転写ユニット３０、定着ユニット４０、及び不図示の制御部を備える。画像形成部１０は、４つのステーション１０ａ，１０ｂ，１０ｃ，１０ｄを備える。ステーション１０ａ，１０ｂ，１０ｃ，１０ｄの構成は同一であるので、ここではステーション１０ａの構成について説明する。
【００１３】
ステーション１０ａは、感光ドラム１１ａ、一次帯電器１２ａ、露光部１３ａ、現像装置１４ａ、クリーニング装置１５ａ、及び折り返しミラー１６ａを備える。像担持体としての感光ドラム１１ａは、その中心で軸支され、矢印方向に回転駆動される。感光ドラム１１ａの外周面に対向して、その回転方向に一次帯電器１２ａ、露光部である光学系の露光部１３ａ、折り返しミラー１６ａ、現像装置１４ａが配置されている。
【００１４】
一次帯電器１２ａは、感光ドラム１１ａの表面に均一な帯電量の電荷を与える。次いで、露光部１３ａは、記録画像信号に応じて変調した、例えばレーザービームなどの光線を折り返しミラー１６ａを介して感光ドラム１１ａ上に露光させることによって、そこに静電潜像を形成する。
【００１５】
更に、現像剤（以下、「トナー」という。）を収納した現像装置１４ａによって上記の静電潜像を顕像化する。なお、現像装置１４ａ〜１４ｄは、イエロー、シアン、マゼンタ、ブラックの４色のトナーをそれぞれ収納する。
【００１６】
現像装置１４ａによって顕像化された可視画像（現像像）は、中間転写体である後述する中間転写ベルト３１の画像転写領域Ｔａに転写される。
【００１７】
クリーニング装置１５ａは、感光ドラム１１ａが回転して画像転写領域Ｔａを通過した下流で、中間転写ベルト３１に転写されずに感光ドラム１１ａ上に残されたトナーを掻き落としてドラム表面の清掃を行う。以上のプロセスにより、ステーション１０ａ〜１０ｄにより各トナーによる画像形成が順次行われる。
【００１８】
給紙ユニット２０は、カセット２１ａ，２１ｂ、手差しトレイ２７、ピックアップローラ２２ａ，２２ｂ，２６、給紙ローラ対２３、給紙ガイド２４、及びレジストローラ２５ａ，２５ｂを備える。
【００１９】
カセット２１ａ，２１ｂ、手差しトレイ２７は、転写材Ｐを収納する。ピックアップローラ２２ａ，２２ｂ，２６は、カセット２１ａ，２１ｂ、手差しトレイ２７より転写材Ｐを一枚ずつ送り出す。給紙ローラ対２３、及び給紙ガイド２４は、ピックアップローラ２２ａ，２２ｂ，２６から送り出された転写材Ｐをレジストローラ２５ａ，２５ｂまで搬送する。レジストローラ２５ａ，２５ｂは、画像形成部１０の画像形成タイミングに合わせて転写材Ｐを二次転写領域Ｔｅへ送り出す。
【００２０】
中間転写ユニット３０は、中間転写ベルト３１、駆動ローラ３２、従動ローラ３３、二次転写対向ローラ３４、一次転写用帯電器３５ａ〜３５ｄ、二次転写ローラ３６、クリーニングブレード５１、廃トナーボックス５２、及びレジセンサ６０を備える。
【００２１】
中間転写ベルト３１は、巻架ローラとして、中間転写ベルト３１に駆動を伝達する駆動ローラ３２、中間転写ベルト３１の回動に従動する従動ローラ３３、ベルト３１を挟んで二次転写領域Ｔｅに対向する二次転写対向ローラ３４に巻架される。これらのうち駆動ローラ３２と従動ローラ３３との間に一次転写面Ａが形成される。駆動ローラ３２は、金属ローラの表面にゴム（ウレタンまたはクロロプレン）をコーティングしてベルト３１とのスリップを防いでいる。駆動ローラ３２はパルスモータ（不図示）によって矢印Ｂ方向へ回転駆動される。
【００２２】
一次転写面Ａはステーション１０ａ〜１０ｄに対向し、各感光ドラム１１ａ〜１１ｄが中間転写ベルト３１の一次転写面Ａに対向するようにされている。したがって、一次転写面Ａに一次転写領域Ｔａ〜Ｔｄが位置することになる。各感光ドラム１１ａ〜１１ｄと中間転写ベルト３１が対向する一次転写領域Ｔａ〜Ｔｄには、中間転写ベルト３１の裏に一次転写用帯電器３５ａ〜３５ｄが配置されている。
【００２３】
二次転写対向ローラ３４に対向して二次転写ローラ３６が配置され、中間転写ベルト３１とのニップによって二次転写領域Ｔｅを形成する。二次転写ローラ３６は、中間転写ベルト３１に対して適度な圧力で加圧されている。また、中間転写ベルト３１上の二次転写領域Ｔｅの下流には、中間転写ベルト３１の画像形成面をクリーニングするためのクリーニングブレード５１、及び廃トナーを収納する廃トナーボックス５２が設けられている。
【００２４】
定着ユニット４０は、ローラ対４１、ガイド４３、内排紙ローラ４４、外排紙ローラ４５、及び排紙トレイ４８を備える。
【００２５】
ローラ対４１は、内部にハロゲンヒーターなどの熱源を備えた定着ローラ４１ａと、その定着ローラ４１ａに加圧される加圧ローラ４１ｂとから成る。なお、この加圧ローラ４１ｂの内部にも熱源を備えていてもよい。
【００２６】
ガイド４３は、ローラ対４１のニップ部へ転写材Ｐを導く。内排紙ローラ４４及び外排紙ローラ４５は、ローラ対４１から排出されてきた転写材Ｐを装置外部に導き出す。不図示の制御部より画像形成動作開始信号が発せられると、選択された用紙サイズ等により選択された給紙段から転写材Ｐの給紙を開始する。
【００２７】
次に、画像複写装置１の動作に即して説明を加える。
【００２８】
不図示の制御部より画像形成動作開始信号が発せられると、まずピックアップローラ２２ａにより、カセット２１ａから転写材Ｐが一枚ずつ送り出される。そして給紙ローラ対２３によって転写材Ｐが給紙ガイド２４の間を案内されてレジストローラ２５ａ、２５ｂまで搬送される。その時レジストローラ２５ａ、２５ｂは停止されており、紙先端はニップ部に突き当たる。その後、画像形成部１０が画像の形成を開始するタイミングに合わせてレジストローラ２５ａ、２５ｂは回転を始める。レジストローラ２５ａ、２５ｂの回転は、転写材Ｐと、画像形成部１０より中間転写ベルト３１上に一次転写されたトナー画像とが、二次転写領域Ｔｅにおいてちょうど一致するようにそのタイミングが設定されている。
【００２９】
一方、画像形成部１０では、中間転写ベルト３１の矢印Ｂの回転方向において一番上流にある感光ドラム１１ｄ上に形成されたトナー像が、高電圧が印加された一次転写用帯電器３５ｄによって一次転写領域Ｔｄにおいて中間転写ベルト３１に一次転写される。一次転写されたトナー像は次の一次転写領域Ｔｃまで搬送される。各画像形成部１０間をトナー像が搬送される時間だけ遅延して画像形成が行われ、前画像の上にレジストレーション（画像位置）を合わせて次のトナー像が転写される。他の色の一次転写領域Ｔａ、Ｔｂについても同様の工程が繰り返され、４色のトナー像が中間転写ベルト３１上に一次転写される。
【００３０】
その後、転写材Ｐが二次転写領域Ｔｅに進入し、中間転写ベルト３１に接触すると、転写材Ｐの通過タイミングに合わせて二次転写ローラ３６に、高電圧を印加させる。そして、前述したプロセスにより中間転写ベルト３１上に形成された４色のトナー像が転写材Ｐの表面に一括転写される。その後、転写材Ｐは搬送ガイド４３によって、定着ローラ対４１のニップ部まで正確に誘導される。定着ローラ対４１の熱及びニップの圧力によって、トナー画像が紙表面に定着される。転写材Ｐは、内外排紙ローラ４４、４５により搬送され、機外の排紙トレイ４８に排出される。
【００３１】
この種の画像複写装置では、各感光ドラム１１ａ〜１１ｄ間の機械的取り付け誤差、及び各露光部１３ａ〜１３ｄによって発生するレーザービーム光の光路長誤差が発生する。また、光路変化、ＬＥＤの環境温度による反り等の理由により各感光ドラム１１ａ〜１１ｄ上で形成された各カラー画像のレジストレーションのずれ、つまり色ずれ（レジずれ）が発生する。これらの誤差やずれを補正するために、一次転写面Ａ上のすべての画像形成部１０の下流の位置で、駆動ローラ３２にてベルト３１が折り返される前の位置に、レジずれを検知するレジセンサ６０が設けられている。
【００３２】
図２は、図１における画像読取装置２の概略構成を示す断面図である。
【００３３】
図２において、画像読取装置２は、読み取り部５１０、原稿台ガラス５０３、第２ミラー５０６、第３ミラー５０７、レンズ５０８、イメージセンサ５０９、シェーディング補正板５１１、部材５１２、及び圧板５１３を備える。読み取り部５１０は、原稿照明ランプ５０１及び第１ミラー５０５から構成される。
【００３４】
原稿台ガラス５０３上に置かれた原稿５０４の画像は、原稿照明ランプ５０１によって照明され、第１ミラー５０５、第２ミラー５０６、第３ミラー５０７、及びレンズ５０８を介してイメージセンサ５０９上に結像する。これにより、イメージセンサ５０９は、原稿５０４のラインイメージを読み取る。
【００３５】
原稿照明ランプ５０１及び第１ミラー５０５から構成される読み取り部５１０は、矢印Ｃ方向に移動し、順次ラインイメージを読み取る。その際、第２ミラー５０６及び第３ミラー５０７も矢印Ｃ方向に移動し、原稿面からイメージセンサ５０９までの距離（光路長）が一定となるように不図示の駆動系によって駆動される。
【００３６】
実際に上記の構成で原稿５０４の原稿画像が読み取られるシーケンスを説明する。
【００３７】
オペレータにより、原稿読み取りのコマンドが入力されると（具体的にはコピーボタンが押下されるなど）、画像読取装置２は、読み取り部５１０を図２の配置（これをホームポジションとする）から不図示の駆動系により、矢印Ｄ方向に移動させる。これにより、読み取り部５１０の読み取り位置をシェーディング補正板５１１の真下に配置する。
【００３８】
次に、画像読取装置２は、原稿照明ランプ５０１を点灯させ、シェーディング補正板５１１を照明する。シェーディング補正板５１１の反射光は、シェーディング補正板５１１のラインイメージを第１ミラー５０５、第２ミラー５０６、第３ミラー５０７、レンズ５０８を介してイメージセンサ５０９へ導かれる。
【００３９】
イメージセンサ５０９で読み取られたシェーディング補正板５１１のラインイメージの画素毎の出力信号は、不図示の画像処理回路によって、全ての画素の出力レベルが所定のレベルになるように補正される。この画像処理によって、原稿照明ランプ５０１の照度ムラ、レンズ５０８の周辺光量落ち、イメージセンサ５０９の画素毎の感度ムラが補正され、原稿画像の読み取りムラが補正される。シェーディング補正処理が終了すると、読み取り部５１０は、不図示の駆動系によりさらに矢印Ｄ方向に移動し、部材５１２の直下に配置される。
【００４０】
部材５１２の真下は原稿画像の読み取りスタート位置であり、この位置から不図示の駆動系は、矢印Ｃ方向に読み取り部５１０を加速移動させる。読み取り部５１０は、読み取り位置が圧板５１３に押さえ込まれて平面性を維持した原稿５０４の先端部に達するまでに、所定の速度に等速駆動されるように制御される。
【００４１】
読み取り部５１０の読み取り位置が原稿５０４の先端部に達すると、イメージセンサ５０９は原稿５０４のラインイメージを順次読み取り開始する。
【００４２】
不図示の駆動系は、読み取り部５１０を等速のまま矢印Ｃの方向に移動させ、原稿５０４の終端まで読み取りが終了した後、駆動を停止する。その後、駆動系は、矢印Ｄ方向に読み取り部５１０を移動させて図２に示したホームポジションに戻し、一連の画像読み取りを終了して、次回の読み取りに備え待機する。
【００４３】
以上で、画像読取装置２の基本的な画像読み取り動作についての説明を終了する。
【００４４】
ところで、原稿照明ランプ５０１は、４８個の白色ＬＥＤを直線状に配置したＬＥＤ基板で構成されている。次に、原稿照明ランプ５０１を構成するＬＥＤ基板について説明する。
【００４５】
図３は、図２における原稿照明ランプ５０１が備えるＬＥＤ基板の構成の一部を示す図である。
【００４６】
図３において、ＬＥＤ基板２００は、ＬＥＤブロックを８個備える。図３には、ＬＥＤブロック１０１ａ，１０１ｂの二つのみを図示する。ＬＥＤブロックは、直列に接続された６個のＬＥＤ２０１をそれぞれ備える。したがって、ＬＥＤ基板２００は、４８個のＬＥＤ２０１を備える。
【００４７】
ＬＥＤブロック１０１ａ，１０１ｂは、切り替えスイッチ１０２ａ，１０２ｂ，１０３ａ，１０３ｂを介して、駆動回路１０４ａ，１０４ｂにそれぞれ接続されている。
【００４８】
駆動回路１０４ａ，１０４ｂは定電流回路で構成されており、ＬＥＤ２０１の１個あたりの順方向電圧が３．３Ｖの場合は、３．３×６＝１９．８Ｖ以上の電圧をかけ、所望の電流をＬＥＤブロック１０１ａ，１０１ｂに供給する。これにより、駆動回路１０４ａ，１０４ｂは、ＬＥＤブロック１０１ａ，１０１ｂに搭載したＬＥＤ２０１を点灯させる。
【００４９】
ＬＥＤブロック１０１ａ、１０１ｂに接続される駆動回路１０４ａ、１０４ｂは、ＬＥＤブロック１個を駆動するために標準で２０ｍＡの定電流駆動が設定されている。また、ＬＥＤブロック毎の光量を微調整するための電流制御機能も有している。
【００５０】
図４は、図２の画像読取装置２の制御回路の一例を示す図である。
【００５１】
図４において、画像読取装置２は、ＬＥＤ基板２００、制御回路基板７０１、ＬＥＤ駆動回路制御部７０７、イメージセンサ５０９、及びＩ／Ｆ回路７０８を備える。
【００５２】
制御回路基板７０１は、ＣＰＵ７０２、ＡＳＩＣ７０３、ＲＯＭ７０４、及びＲＡＭ７０５を備え、これらはシステムバス７０６を介して互いに接続されている。
【００５３】
ＡＳＩＣ７０３は、ＣＰＵ７０２からの命令によりシェーディング補正等の画像処理や画像読取装置２の主要ユニットに対しての制御信号を送受信する大規模集積回路である。ＲＯＭ７０４は、ＣＰＵ７０２の制御プログラムを格納する。ＲＡＭ７０５は、ＣＰＵ７０２により計算領域として用いられる。
【００５４】
ＡＳＩＣ７０３には、ＬＥＤ駆動回路制御部７０７、イメージセンサ５０９、及びＩ／Ｆ回路７０８が接続されている。イメージセンサ５０９より送出される原稿画像のラインイメージは、ＡＳＩＣ７０３に入力される。
【００５５】
ＡＳＩＣ７０３は、Ｉ／Ｆ回路７０８に接続されている不図示のプリンタなどの外部機器と接続され、読み取った原稿画像を画像処理して外部機器に画像信号を送出する。  
【００５６】
ＬＥＤ駆動回路制御部７０７には、図３に示した例えば切り替えスイッチ１０２ａ，１０３ａ、及び駆動回路１０４ａを１セットとした回路が計８回路構成されている。構成されている切り替えスイッチはマイクロリレーのようなメカ的な切り替えスイッチでもよいし、スイッチングトランジスタ等で構成された半導体スイッチでもよい。
【００５７】
各駆動回路と各切り替えスイッチはＣＰＵ７０２からＡＳＩＣ７０３を介して制御を受ける構成となっている。ＬＥＤ駆動回路制御部７０７にはＬＥＤ基板２００が接続されている。ＬＥＤ基板２００には前述したように、ＬＥＤ６個を１ブロックとした回路が８回路で構成されており、図３に示したような構成でＬＥＤ基板２００とＬＥＤ駆動回路制御部７０７が接続されている。
【００５８】
ＬＥＤ基板２００に実装されているＬＥＤブロックが全て正常に点灯している場合は、切り替えスイッチ１０２ａ，１０２ｂ，１０３ａ，１０３ｂは図３に示したポジションに切り替えスイッチが入っている。従って、１つの駆動回路に1つのＬＥＤブロックが１対１に対応している。このとき、シェーディング補正処理時に個々のＬＥＤブロックの光量ムラが確認できた場合は、ＣＰＵ７０２はＡＳＩＣ７０３を介してＬＥＤ駆動回路制御部７０７を制御し、各々の駆動回路に設定する駆動電流を微調整する。
【００５９】
図５は、図２における原稿台ガラス５０３を上部からみた図である。
【００６０】
図５において、原稿台ガラス５０３は、主走査指標４０１、副走査指標４０２、及び基準マーク４０３を備える。ユーザは、指標にマークされた原稿サイズ及び原稿の角を基準マーク４０３に着き当てて原稿５０４を原稿台ガラス５０３上に載置する。図５では、Ａ４サイズの原稿５０４をＡ４の指標に従って原稿載置されている様子を示している。
【００６１】
ここで、駆動回路１０４ａの故障により、ＬＥＤブロック群１０１のうちＬＥＤブロック１０１ａが点灯しなくなった場合について説明する。この場合、ＬＥＤブロック１０１ａは６個全てのＬＥＤ２０１が点灯しなくなり、本来の画像読取装置としての機能を発揮できなくなる。
【００６２】
図６は、図５における主走査指標４０１とＬＥＤ基板２００の相対的な位置関係を示す図である。
【００６３】
図６において、ＬＥＤ基板２００は矢印Ｅの副走査方向に駆動して原稿を照明する。ＬＥＤブロック１０１ａ，１０１ｂを含むＬＥＤブロック群１０１は、主走査方向に対して直線状に配置されている。
【００６４】
ここでは、駆動回路１０４ａの故障によりハッチングがかかったＬＥＤブロック１０１ａが点灯していない。したがって、図５のようにＡ４サイズの原稿が載置された場合、そのまま読み取り動作を行うと、ＬＥＤブロック１０１ａに相対する個所が照明されず正常な読み取り画像にならない。また、図７のようにＡ４Ｒの指標にあわせて原稿を載置したとしても、同様に正常な読み取り画像にならない。
【００６５】
図８は、図６におけるＬＥＤブロック群１０１とシェーディング補正板５１１の読み取りレベルの相対関係を示す図であり、（ａ）は通常時を示し、（ｂ）は駆動回路１０４ａの故障時を示す。
【００６６】
図８（ａ）において、駆動電流を微調整した後では、シェーディング補正板５１１の読取レベル６０１は、ＬＥＤブロック群１０１による照明範囲で一様な読み取りレベルである。
【００６７】
図８（ｂ）において、駆動回路１０４ａの故障時は、一様な白色濃度を有するシェーディング補正板の読み取りレベル６０２が、ＬＥＤブロック１０１ａに相対する個所において低いプロファイルになる。このように、画像読取装置２は、シェーディング補正処理を実行することによって駆動回路１０４ａの故障を検出する。駆動回路１０４ａの故障が検出された場合、このまま読み取り動作を行っても正常な読み取り画像とならないので、ＣＰＵ７０２は、読み取り動作を行わないようにイメージセンサ５０９を制御する。また、ＣＰＵ７０２は、ＡＳＩＣ７０３を介して図９のようにＬＥＤ駆動回路制御部７０７中の切り替えスイッチ１０２ａ、１０２ｂ、１０３ａ、１０３ｂを切り替える。
【００６８】
図９は、図３における駆動回路１０４ａの故障時のＬＥＤ基板２００の構成を示す図である。
【００６９】
図９において、スイッチ１０２ａ、１０２ｂ、１０３ａ、１０３ｂの切り替えによって、ＬＥＤブロック１０１ａは、正常に動作している駆動回路１０４ｂに接続される。また、ＬＥＤブロック１０１ｂは、故障している駆動回路１０４ａに接続される。これにより、ＬＥＤ基板２００の点灯状況は、図１０のようになる。
【００７０】
図１０において、ＬＥＤブロック１０１ａが点灯し、ＬＥＤブロック１０１ｂが消灯している。もちろんこのままでは、図５のようにＡ４サイズの原稿を載置しても正常な読み取り画像を得ることはできないが、図７のようにＡ４Ｒの指標に合わせて原稿の載置方向を変更することにより、Ａ４サイズの原稿読み取りが可能になる。
【００７１】
ＣＰＵ７０２は、Ａ４の指標に合わせて原稿が置かれていることを検知した上で、Ａ４Ｒに載置し直すように不図示の表示部にメッセージを表示する等してユーザに通知することが望ましい。また、原稿サイズ検知の結果、上記の手法で駆動回路の切り替えを実施したとしても載置された原稿の読み取りが不可能な場合は、読み取り動作処理を中断し、読み取りが不可能な旨のメッセージを表示部などに表示することによりユーザに通知するように制御する。また、ユーザに故障しているＬＥＤ基板２００の交換を促すメッセージを表示部等に表示するように制御してもよい。
【００７２】
また、原稿サイズ検知の手法については、反射型のセンサを用いて原稿サイズの検知を実施する手法（例えば、特開平５−３３０６６８号公報参照）を用いてもよい。または、反射型のセンサに画像読み取りを行う読み取りセンサを併用して原稿サイズ検知を行う手法（例えば、特開２００１−２８２０４９号公報参照）などを用いてもよい。
【００７３】
以上説明したように、図２の構成によって読み取られた原稿のラインイメージデータは順次プリンタ３に送出され、プリンタ３によって、読み取られた画像が形成される。
【００７４】
第１の実施の形態によれば、ＬＥＤブロック１０１ａを正常に動作している駆動回路１０４ｂに接続するので、ＬＥＤブロックの駆動回路が故障した場合にも、正常な読み取り画像を得ることができる。
【００７５】
［第２の実施の形態］
第１の実施の形態では、故障した駆動回路を隣り合う駆動回路と入れ替えることによって、読み取り可能な原稿サイズの範囲を広げる手法について説明したが、本発明は隣り合ったＬＥＤ駆動回路を入れ替える手法に限るものではない。
【００７６】
第１の実施の形態では、駆動回路１０４ａが故障した場合について説明したが、そもそも複数具備された駆動回路のうち主走査方向に対して先端の駆動回路が故障した場合は、全ての原稿サイズが読み取り不可能になる。第２の実施の形態では、この問題に鑑み、本発明を用いて問題を解決する手法について説明する。
【００７７】
図１１は、本発明の第２の実施の形態における主走査指標４０１とＬＥＤ基板２００の相対位置関係を示す図である。
【００７８】
図１１において、ＬＥＤブロック１０１ｃに接続している駆動回路が故障し、ＬＥＤブロック１０１ｃが消灯している状態を示している。ＬＥＤブロック１０１ｃは原稿の主走査読み取り領域の先端部分を照明するＬＥＤブロックであるので、原稿の載置方向に関わらず、主走査指標４０１に表示されている全ての原稿サイズの読み取りができなくなる。
【００７９】
第２の実施の形態では、図３に示したＬＥＤ基板の構成をＬＥＤブロック１０１ｃ、及び主走査方向に対して後端部に配置されたＬＥＤ１０１ｄに適用する。図４のＣＰＵ７０２は、故障しているＬＥＤブロック１０１ｃの駆動回路と正常に動作しているＬＥＤブロック１０１ｄの駆動回路を切り替える。これにより、ＬＥＤ基板２００の点灯状況は、図１２のようになる。
【００８０】
図１２において、ＬＥＤブロック１０１ｃとＬＥＤブロック１０１ｄの駆動回路を切り替えることにより、主走査方向に対して先端部に配置されたＬＥＤブロック１０１ｃが点灯する。一方、主走査方向に対して後端部に配置されたＬＥＤブロック１０１ｄが消灯する。
【００８１】
この駆動回路の切り替え制御により、ハガキ、Ａ５Ｒ、Ｂ５Ｒ、Ａ５／Ａ４Ｒ、Ｂ５／Ｂ４まで、即ち原稿サイズＡ３以外の定型原稿サイズは全て読み取りが可能になり、ユーザに対する利便性が向上した画像読取装置が提供できる。
第２の実施の形態によれば、故障しているＬＥＤブロック１０１ｃの駆動回路と正常に動作しているＬＥＤブロック１０１ｄの駆動回路を切り替えることにより、主走査方向に対して先端の駆動回路が故障した場合にも、正常な読み取り画像を得ることができる。
【図面の簡単な説明】
【００８２】
【図１】本発明の第１の実施の形態に係る画像読取装置を搭載した画像複写装置の内部構成を示す断面図である。
【図２】図１における画像読取装置２の概略構成を示す断面図である。
【図３】図２における原稿照明ランプ５０１が備えるＬＥＤ基板の構成の一部を示す図である。
【図４】図２の画像読取装置２の制御回路の一例を示す図である。
【図５】図２における原稿台ガラス５０３を上部からみた図である。
【図６】図５における主走査指標４０１とＬＥＤ基板２００の相対的な位置関係を示す図である。
【図７】図２における原稿台ガラス５０３を上部からみた図である。
【図８】図６におけるＬＥＤブロック群１０１とシェーディング補正板５１１の読み取りレベルの相対関係を示す図であり、（ａ）は通常時を示し、（ｂ）は駆動回路１０４ａの故障時を示す。
【図９】図３における駆動回路１０４ａの故障時のＬＥＤ基板２００の構成を示す図である。
【図１０】図５における主走査指標４０１とＬＥＤ基板２００の相対的な位置関係を示す図である。
【図１１】本発明の第２の実施の形態における主走査指標４０１とＬＥＤ基板２００の相対位置関係を示す図である。
【図１２】本発明の第２の実施の形態における主走査指標４０１とＬＥＤ基板２００の相対位置関係を示す図である。
【図１３】従来のＬＥＤ基板の構成を示す図である。
【図１４】従来のＬＥＤブロックの構成を示す図である。
【符号の説明】
【００８３】
１０１ａ，１０１ｂ  ＬＥＤブロック
１０２ａ，１０２ｂ，１０３ａ，１０３ｂ  切り替えスイッチ
１０４ａ，１０４ｂ  駆動回路
２００  ＬＥＤ基板
２０１  ＬＥＤ
【図１】
2009177505.tif 000003
【図２】
2009177505.tif 000004
【図３】
2009177505.tif 000005
【図４】
2009177505.tif 000006
【図５】
2009177505.tif 000007
【図６】
2009177505.tif 000008
【図７】
2009177505.tif 000009
【図８】
2009177505.tif 000010
【図９】
2009177505.tif 000011
【図１０】
2009177505.tif 000012
【図１１】
2009177505.tif 000013
【図１２】
2009177505.tif 000014
【図１３】
2009177505.tif 000015
【図１４】
2009177505.tif 000016